(57)【要約】【課題】開口の一部が水底に接する袋状の網体において、拡網の確実性を高める。【解決手段】網体２０に、グランドロープ３０とボビン５１，５２と網２２とを備える。ボビン５１，５２は、グランドロープ３０に取り付けられた基体５３と、その基体５３の外周にグランドロープ３０に垂直な平面に対して傾いて設けられた羽根５４と、を備える。網２２は、グランドロープ３０のボビン５１，５２を挟む領域に開口の縁の一部が取り付けられた袋状に形成されている。グランドロープ３０をグランドロープ３０が延びる方向を横切る曳航方向９０に移動させることにより、水底に接したボビン５１，５２にはグランドロープ３０を曳航方向９０に垂直な直線に近づくように変形していく。【選択図】図１
2016182072.tif 000002
【特許請求の範囲】
【請求項１】
水底に接する部分に取り付けられるグランドロープと、
前記グランドロープに取り付けられた基体とその基体の外周に曳航方向に対して傾いて設けられた羽根とを備えたボビンと、
前記グランドロープに開口の縁の一部が取り付けられた袋状の網と、
を有することを特徴とする網体。
【請求項２】
前記ボビンは、第１ボビンと、前記第１ボビンに対して前記羽根の曳航方向に対する傾き角度の符号が異なる第２ボビンと、を備えることを特徴とする請求項１に記載の網体。
【請求項３】
前記ボビンは海水よりも比重が大きいことを特徴とする請求項１または請求項２に記載の網体。
【請求項４】
前記開口の縁の前記グランドロープに取り付けられた領域以外に取り付けられた海水よりも比重が小さい浮体をさらに有することを特徴とする請求項１ないし請求項３のいずれか１項に記載の網体。
【請求項５】
水底に接する部分に取り付けられるグランドロープと、前記グランドロープに取り付けられた基体とその基体の外周に曳航方向に対して傾いて設けられた羽根とを備えたボビンと、前記グランドロープに開口の縁の一部が取り付けられた袋状の網と、を備えた網体と、
前記グランドロープの両端を引っ張る一艘の船と、
を有することを特徴とするトロールシステム。
【請求項６】
水底に接する部分に取り付けられるグランドロープと、前記グランドロープに取り付けられた基体とその基体の外周に曳航方向に対して傾いて設けられた羽根とを備えたボビンと、前記グランドロープに開口の縁の一部が取り付けられた袋状の網と、を備えた網体を用いて、一艘の船で前記グランドロープの両端を引っ張ることにより行うことを特徴とする漁の方法。
【発明の詳細な説明】
【技術分野】
【０００１】
本発明は、開口の一部が水底に接する袋状の網体、それを用いたトロールシステムおよび漁の方法に関する。
【背景技術】
【０００２】
底引き網漁では、二艘曳き、かけまわし、オッタートロールなどの方法を用いて、拡網、特に横方向に網を広げる。二艘曳きは、２艘の船で網を開きながら曳航する。
【０００３】
かけまわしでは、まず、一方の引き綱の一方の端部をブイに連結した状態で引き綱を海中に投下するとともに曳航する。ある程度引き綱を海中に沈めたところで方向転換し、さらに曳航する。さらに進んで、網を投下した後に、ブイ側に近づくように若干方向転換する。その後、網の開口が十分に開いた状態で船をブイに近づけ、引き綱の端部を回収する。このようにして、網の両側の引き綱を船に確保した状態で、網を引きながら船を進めることにより漁を行う。
【０００４】
オッタートロールでは、網の近くで２本の引き綱のそれぞれに翼状オッター板を配置する。この状態で引き綱を引くことにより、オッター板が水流の中で拡網する方向に力を受ける。これにより網の開口部が横方向に拡がる。
【先行技術文献】
【特許文献】
【０００５】
【特許文献１】特開２００２−３１５４７２号公報
【発明の概要】
【発明が解決しようとする課題】
【０００６】
底引き網漁を行う場合、二艘曳きでは、漁船２艘分の燃料費が必要である。また、それぞれの船に運転員および作業員が必要である。このため、一艘で行う漁に比べてエネルギーを多く消費し、コストも大きくなる傾向にある。
【０００７】
かけまわしでは、特別な拡網具を用いることはないため、漁の開始までに要する時間が長くなる。また、いったん拡がった開口部も数十分程度で閉じてしまい、長時間曳き続けることができない。このため、効率的に漁を行うことが難しい。
【０００８】
オッタートロールで用いるオッターボードは、比較的大きな拡網力を得るために、大型である。このため、オッターボードは重くなる傾向にある。したがって、大型かつ重いオッターボードの取り扱いには、大きな労力が必要で、作業も難しい。
【０００９】
そこで、本発明は、開口の一部が水底に接する袋状の網体において、拡網の確実性を高め、かつ大きな労力が不要で作業性を向上させることを目的とする。
【課題を解決するための手段】
【００１０】
上述の目的を達成するため、本発明は、網体において、水底に接する部分に取り付けられるグランドロープと、前記グランドロープに取り付けられた基体とその基体の外周に曳航方向に対して傾いて設けられた羽根とを備えたボビンと、前記グランドロープに開口の縁の一部が取り付けられた袋状の網と、を有することを特徴とする。
【００１１】
また、本発明は、トロールシステムにおいて、水底に接する部分に取り付けられるグランドロープと、前記グランドロープに取り付けられた基体とその基体の外周に曳航方向に対して傾いて設けられた羽根とを備えたボビンと、前記グランドロープに開口の縁の一部が取り付けられた袋状の網と、を備えた網体と、前記グランドロープの両端を引っ張る一艘の船と、を有することを特徴とする。
【００１２】
また、本発明は、漁の方法において、水底に接する部分に取り付けられるグランドロープと、前記グランドロープに取り付けられた基体とその基体の外周に曳航方向に対して傾いて設けられた羽根とを備えたボビンと、前記グランドロープに開口の縁の一部が取り付けられた袋状の網と、を備えた網体を用いて、一艘の船で前記グランドロープの両端を引っ張ることにより行うことを特徴とする。
【発明の効果】
【００１３】
本発明によれば、開口の一部が水底に接する袋状の網体において、拡網の確実性を高め、かつ大きな労力が不要で作業性を向上させることができる。
【図面の簡単な説明】
【００１４】
【図１】本発明に係る網体の第１の実施の形態の斜視図である。
【図２】本発明に係る網体の第１の実施の形態の一部拡大を模式的に示す正面図である。
【図３】本発明に係る網体の第１の実施の形態においてボビンの移動方向とボビンに働く力を模式的に示す上面図である。
【図４】本発明に係る網体の第１の実施の形態を用いて行う漁の方法を模式的に示す斜視図である。
【図５】本発明に係る網体の第２の実施の形態の一部拡大を模式的に示す正面図である。
【発明を実施するための形態】
【００１５】
本発明に係る網体のいくつかの実施の形態を、図面を参照して説明する。なお、この実施の形態は単なる例示であり、本発明はこれに限定されない。同一または類似の構成には同一の符号を付し、重複する説明は省略する。
【００１６】
［第１の実施の形態］
図１は、本実施の形態の網体の斜視図である。図２は、本実施の形態の網体の一部拡大正面図である。
【００１７】
本実施の形態の網体２０は、網２２と、グランドロープ３０と、ボビン５１，５２を有している。ボビン５１，５２は、基体５３と羽根５４とを有している。
【００１８】
基体５３は、グランドロープ３０に取り付けられている。たとえば、基体５３には貫通孔が形成されていて、この貫通孔にグランドロープ３０が挿通することによって、基体５３がグランドロープ３０に取り付けられている。図２において、基体５３はそれぞれ間隔を有するように模式的に示されているが、実際には間隔なしに挿通され、両端の２個が金具５８によって抜けないように係止され、移動しないようになされる。
【００１９】
羽根５４は、基体５３の外周に曳航方向９０に対して傾いて設けられている。ボビン５１，５２は、羽根５４の向きによって、第１ボビン５１と第２ボビン５２とに分類される。第１ボビン５１の羽根５４の曳航方向９０に対する傾き角度の符号すなわち正負は、第２ボビン５２の羽根５４の曳航方向９０に対する傾き角度とは異なる。たとえば第２ボビン５２の羽根５４は、曳航方向９０に平行な鉛直面を対称面として、第１ボビン５１の羽根５４に対称である。羽根５４は、たとえば一つの基体５３に対して複数設けられている。
【００２０】
第１ボビン５１は、グランドロープ３０の中央に位置する境界点２７に対して一方に配置されている。第２ボビン５２は、境界点２７に対して第１ボビン５１とは反対側に配置されている。第１ボビン５１および第２ボビン５２は、ともに、網が曳航によってその開口部が略Ｕ字状に拡がるときの直線部分である先袖に配置されている。略Ｕ字状の曲線部分である後袖には、第３ボビン５０が配置されている。第３ボビン５０は、羽根５４を持たない基体５３のみで形成されている。
【００２１】
網２２は、開口を持つ袋状である。網２２の開口の下縁は、グランドロープ３０に取り付けられている。網２２の開口の上縁には、浮体４０が取り付けられている。つまり、網２２の開口の縁は、ボビン５０，５１，５２が取り付けられたグランドロープ３０に取り付けられた部分と、それに対向する部分であって浮体４０が取り付けられた部分とを含むことになる。
【００２２】
ボビン５０，５１，５２は、海水よりも比重が大きい。浮体４０は、海水よりも比重が小さい。たとえば、基体５３は鉄を含有するゴムなどで形成され、ボビン５１，５２は基体５３に鉄製の羽根５４を取り付けたものである。ボビン５１，５２は、グランドロープ３０、浮体４０、網２２などの他の構成物の浮力を考慮しても、水底８０から接触抵抗を受ける程度の押付け力で水底８０に接するような比重でなければならない。浮体４０は、たとえば合成樹脂製である。
【００２３】
図３は、本実施の形態においてボビンの移動方向とボビンに働く力を模式的に示す上面図である。
【００２４】
グランドロープ３０（図１など参照）が曳航方向９０に移動した場合、第２ボビン５２は、砂や泥などの水底８０（図４参照）と接することにより、羽根５４に垂直な向きの力９３を受ける。この力９３の曳航方向９０に垂直な向きの分力９１がグランドロープ３０に対して曳航方向に左向きの方向に作用する。
【００２５】
同様に、第１ボビン５１にも、グランドロープ３０に対して曳航方向９０に垂直な向きの分力が作用する。ただし、第１ボビン５１に働く分力は、第２ボビン５２に働く分力９１の曳航方向９０に対して対称な方向に作用する。
【００２６】
第３ボビン５０には羽根５４が設けられていないが、基体５３の曳航方向に対する角度によって同様の分力が発生する。すなわち第３ボビン５０が、第２ボビン５２と同じくグランドロープ３０の左側であって、略Ｕ字状になった場合の曲線部である後袖に配置されている場合、第３ボビン５０の長手方向すなわち貫通孔方向は曳航方向に対して反時計回りに傾斜している。そのため第３ボビン５０にも、第２ボビン５２と同様に曳航方向に左向きの方向の力が作用する。
【００２７】
同様に、第３ボビン５０が第１ボビン５１と同じくグランドロープ３０の右側であって、後袖に配置されている場合、第１ボビン５１と同一の方向に力が作用する。
【００２８】
これらの結果、曳航によってグランドロープ３０は略Ｕ字状となり、網２２の開口部を横方向に拡げることができる。
【００２９】
図４は、本実施の形態の網体を用いて行う漁の方法を模式的に示す斜視図である。
【００３０】
この網体２０を用いて底引き網漁を行う場合、グランドロープ３０の両端にそれぞれ接続された２本の引き綱２４を一艘の船１０で引く。このとき、グランドロープ３０は、ボビン５０，５１，５２の作用により、左右に広がっていく。また、網体２０に設けられた浮体４０の作用により、網２２の開口の上縁は、上昇する。このようにして、網２２の開口は拡がる。その結果、開口が開いた状態で、開口を先頭にして網２２が移動することになり、開口から、魚などの漁の対象の生物・物体が網２２の内部に入っていく。
【００３１】
このように、本実施の形態の網体２０は、ボビン５０，５１，５２が水底８０に接しながら移動することによってグランドロープ３０を略Ｕ字状に変形させる。つまり、網体２０の開口の開放性は、自ずと確保される。水流によって発生する力を用いているわけではないため、底曳き漁における２〜４ノット程度の低い曳網速度であっても、網体２０の開口の開放性は確保できる。
【００３２】
また、ボビン５０，５１，５２によってグランドロープ３０を略Ｕ字状に変形させているため、グランドロープ３０の両端を一艘の船で、すなわち、実質的に一点で引っ張っても、拡網の確実性は維持できる。一方、網体２０を一艘の船で曳いているため、グランドロープ３０の両端を二艘の船で曳く場合に比べて、燃料費や人件費を抑制して容易に網体２０を移動させて漁を行うことができる。さらに、オッターボードなどの重量物を用いないため、消費するエネルギーが少なくて済む。
【００３３】
このように、本実施の形態によれば、開口の一部が水底に接する袋状の網体において、拡網の確実性を維持しつつ、網体を容易に移動できるようにすることができる。
【００３４】
［第２の実施の形態］
図５は、本発明に係る網体の第２の実施の形態の一部拡大を模式的に示す正面図である。
【００３５】
本実施の形態の網体２０は、第１ボビン５１および第２ボビン５２に設けられた羽根５４の角度が第１の実施の形態と異なっている。グランドロープ３０が略Ｕ字状になったときの曲線部分である後袖に配置された第１ボビン５１に設けられた羽根５４の曳航方向９０（図１参照）に対する角度は、グランドロープ３０が略Ｕ字状になったときの直線部分である前袖に配置された第１ボビン５１に設けられた羽根５４と同じである。
【００３６】
グランドロープ３０の後袖である曲線部分において、位置によって基体５３の曳航方向９０に対する傾斜角度が異なっている。このため、後袖である曲線部分に配置された第１ボビン５１に設けられた羽根５４の基体５３の長手方向すなわち貫通孔方向に対する角度は、配置される場所によって異なっている。
【００３７】
グランドロープ３０が略Ｕ字状になったときの曲線部分である後袖に配置された第２ボビン５２に設けられた羽根５４の曳航方向９０（図１参照）に対する角度は、グランドロープ３０が略Ｕ字状になったときの直線部分である前袖に配置された第２ボビン５２に設けられた羽根５４と同じである。つまり、第１ボビン５１の場合と同様に、後袖である曲線部分に配置された第２ボビン５２に設けられた羽根５４の基体５３の長手方向すなわち貫通孔方向に対する角度は、配置される場所によって異なっている。
【００３８】
本実施の形態によれば、第１の実施の形態と同様に、開口の一部が水底に接する袋状の網体において、拡網の確実性を維持しつつ、網体を容易に移動できるようにすることができる。さらに、後袖部分に配置されるボビンについても確実な拡網力を得ることができる。なお、ボビンに設けられた羽根５４の角度は、これらの実施の形態の例に限定されるものではない。
【符号の説明】
【００３９】
１０…船、２０…網体、２２…網、２４…引き綱、２７…境界点、３０…グランドロープ、４０…浮体、５１…第１ボビン、５２…第２ボビン、５３…基体、５４…羽根、５８…金具、８０…水底、９０…曳航方向
【図１】
2016182072.tif 000003
【図２】
2016182072.tif 000004
【図３】
2016182072.tif 000005
【図４】
2016182072.tif 000006
【図５】
2016182072.tif 000007